【手続補正書】
【提出日】平成19年2月9日(2007.2.9)
【手続補正１】
【補正対象書類名】特許請求の範囲
【補正対象項目名】全文
【補正方法】変更
【補正の内容】
【特許請求の範囲】
【請求項１】
廃棄物および／または有害物質を生成ガスおよび溶解固体生成物に変換するための装置であって、
耐熱性の内張りを施した反応器；
器内の高温処理ゾーンを作るための２つまたは３つ以上の固定位置のプラズマアーク生成器であって、該固定位置のプラズマアーク生成器は器内にその側面から相対して配置され、互いに相対的な角度変位で焦点でプラズマアークプルームが交差する前記プラズマアーク生成器；
器内の二次的処理または処理補助を選択的に提供するための可動式プラズマアーク生成器が可能となるような３つの自由度を有する可動式プラズマアーク生成器；
廃棄物および／または有害物質を器へと供給する、第一の供給手段；
処理添加剤を器へと供給する、第二の供給手段；
生成ガスを器から排出するためのガス除去手段；および
固体生成物を器から排出するためのスラグ除去手段
を備えた、前記装置。
【請求項２】
スラグ除去手段が排出ポートを含み、可動式プラズマアーク生成器が可動で、器からの固体生成物の排出を容易にする排出ポートの近傍に第二の処理または高温処理補助を選択的に提供する、請求項１に記載の装置
【請求項３】
さらに器内にスラグ収集エリアを備える請求項１または２に記載の装置であって、可動式プラズマアーク生成器が可動であり、スラグ収集エリアへ第二の処理または高温処理補助を提供する前記装置
【請求項４】
焦点が第一の供給手段からの物質入口の中央付近である、請求項１に記載の装置
【請求項５】
可動式プラズマアーク生成器が選択的に固定位置のプラズマアーク生成器により作られた焦点へとおよびスラグ除去手段へと狙いを定めさせることができる、請求項１に記載の装置
【請求項６】
第１の供給手段が、複数の廃棄物および／または有害物質供給ポートを備える、請求項１〜５のいずれか１つに記載の装置。
【請求項７】
第二の供給手段が１つまたは２つ以上の蒸気の注入のためのポートおよび／または１つまたは２つ以上の空気の注入のためのポートを備える、請求項１〜６のいずれか１つに記載の装置
【請求項８】
ガス除去手段が、生成ガスの排出速度が、ガスで運ばれる固体を、生成ガスを有する器の外に運ぶのではなく器に戻すように構成されたガス出口ポートを備える、請求項１に記載の装置。
【請求項９】
生成ガス中の粒子状物質の量を決定しガス排出速度を調節するために生成ガスをモニタするモニタ手段をさらに含む、請求項１〜８のいずれか１つに記載の装置
【請求項１０】
器の下方部分が下方部分の取り外しが容易になるようにフランジ付きである、請求項１に記載の装置。
【請求項１１】
耐熱性の内張りの材料をセラミックブランケット、絶縁性の耐火ブロックおよび高アルミナ加熱面ブロックからなる群から選択し、任意で少量の酸化クロム、酸化ジルコニウムまたは酸化マグネシウム含む、請求項１に記載の装置。
【請求項１２】
器の下方部分用の水冷却手段をさらに備える、請求項１に記載の装置。
【請求項１３】
さらに器内に着脱可能な予熱燃焼器を備える、請求項１に記載の装置
【請求項１４】
プラズマアーク生成器、第一の供給手段、第二の供給手段およびガス除去手段の１つまたは２つ以上を制御するための制御手段をさらに備える、請求項１に記載の装置
【請求項１５】
モニタ手段が器内圧、器内温度、生成ガス温度および生成ガス流の１つまたは２つ以上をモニタするための手段をさらに含む、請求項１に記載の装置
【請求項１６】
モニタリング手段が、１つまたは２つ以上の不透明度センサを備える、請求項９に記載の装置。
【請求項１７】
センサの正面を横切る窒素流を流すことによりまたはセンサの領域に陰圧を維持することにより１つまたは２つ以上の不透明度センサを本質的に堆積物がない状態に維持することを含む、請求項６に記載の装置。
【請求項１８】
廃棄物および／または有害物質を生成ガスおよび溶解固体生成物に変換するための、請求項１〜１７のいずれか１つに記載の装置の使用
【請求項１９】
廃棄物および／または有害物質を生成ガスおよび溶解固体生成物に変換するための方法であって：
プラズマ生成手段を備えた耐熱性の内張りが施された反応器を提供し、内部に高温プラズマ処理ゾーンを作り、該プラズマ生成手段はプラズマアークプルームが焦点で交差するために互いに相対的な角度変位で反対側から器内に配置された２つまたは３つ以上の固定位置のプラズマアーク生成器を備え、可動式プラズマアーク生成器は可動式プラズマアーク生成器が器内に選択的に第二の処理または処理補助を提供するようにする３つの自由度を有すること；
廃棄物および／または有害物質を器へ供給すること；
処理添加剤を器に供給すること；
生成ガスを器から除去すること；および
固体生成物を器から除去すること
を含む前記方法。
【請求項２０】
廃棄物および／または有害物質を連続して器へと供給するための１つまたは２つ以上の器のポートに近接した可動式プラズマアーク生成器を配置することを含む、請求項１９に記載の方法。
【請求項２１】
処理添加剤が１つまたは２つ以上の処理添加蒸気および処理添加空気を含む、請求項１９に記載の方法。
【請求項２２】
廃棄物および／または有害物質が１つまたは２つ以上の固体廃棄物および液体廃棄物を含む、請求項１９に記載の方法
【請求項２３】
生成ガス中の粒子状物質の量を決定しガス排出速度を調節するために生成ガスをモニタすることをさらに含む、請求項１９に記載の方法
【請求項２４】
生成ガスで器の外に運ばれるのと反対に、空気で運ばれる固体が器に戻るようにするためにガス排出速度を調整することを含む、請求項２３に記載の方法。
【請求項２５】
器内を予め加熱する第一のステップを含む、請求項１９に記載の方法。
【請求項２６】
廃棄物および／または有害物質を生成ガスおよび溶解固体生成物に変換するための耐熱性の内張りを施した反応器であって、
器内に高温処理ゾーンを作るための２つまたは３つ以上のプラズマアーク生成器であって、固定位置プラズマアーク生成器がプラズマアークプルームを焦点で交差させるために互いに相対的な角度変位で反対側から器内に配置し；
３つの自由度を有し可動式プラズマアーク生成器が選択的に器内に高温処理補助または第二の処理を提供する可動式プラズマアーク生成器；
器は、第一の処理手段から廃棄物および／または有害物質を受け取り第２の提供手段からの添加剤を処理するようになっている；および
器は、１つまたは２つ以上の生成ガスおよび固体生成物を除去するようにすることができる
ことを含む前記反応器。
【手続補正２】
【補正対象書類名】明細書
【補正対象項目名】００１７
【補正方法】変更
【補正の内容】
【００１７】
２００４年４月２２日にＭａｒｋｕｎａｓらに付与された米国特許第６，５５２，２９５号は、有害廃棄物のプラズマ処理をするための方法および装置であって、有害物質を収容チャンバ内の真空下で揮発させ、予め処理されたガスを、プラズマ形成磁界がつくられるプラズマ形成領域を含むプラズマ炉に入力として提供するものを提供する。この予め処理されたガスは、予め処理されたガスに含まれる反応物がプラズマ形成領域を移動する際に完全に分離するように、プラズマ形成領域を介し、迂回することなく低圧で通過し、直接誘導的に組み合わされたプラズマ状態に活性化される。好ましくは、プラズマ形成領域は、予め処理されたガス中の有害廃棄物反応物がプラズマ形成領域を迂回することを可能にするバイパス部ができないように、真空環として成形され、寸法決めされる。プラズマ炉は、電力を基本周波数として出力する高周波数電力供給によって電力供給される。この電力供給は、非基本周波数、寄生周波数が基本周波数出力電力を不安定にすることを防ぐために、寄生電力散逸（parasitic power dissipation）機構を含む。
【手続補正３】
【補正対象書類名】明細書
【補正対象項目名】００９４
【補正方法】変更
【補正の内容】
【００９４】
（ｉｉｉ）非理想反応モデル。系の炭素の量を実験的に得られた割合によって乗算することによって、理想状態を超えて形成されたメタン、アセチレンおよびエチレンの量を決定する。これは、長鎖の炭化水素またはポリマーの不完全分解の結果を近似する。実際には、このような分子は、他の化学種と反応する前に、小さい炭化水素（通常炭素１つまたは２つの炭化水素）に分解される。プラズマ気化反応器内部の気体環境は非常に乱れる性質があるため、これらの炭化水素の小部分は、消費される前に主反応域の外に出る。所定の廃棄物のために選ばれる種の割合は、直前の物質の物理組成によって変化する。